(57)【要約】      （修正有）【課題】番組情報を受信して番組表を表示可能な放送受信機において、ユーザーが視聴を希望するジャンルの番組を有するチャンネルを優先的に番組表に表示でき、利便性の向上した放送受信機を提供する。【解決手段】番組が視聴可能か否かを判定する番組判定手段１２と、受信した番組情報から当該番組のジャンルを判別するジャンル判別手段１３と、ユーザーが指定するジャンルに相当するか否かを特定するジャンル特定手段１４と、ユーザーが指定するジャンルに相当する番組の割合を検知するジャンル割合判定手段１５と、検知された割合に応じて表示する順番を決定し、決定された順に応じて整列された番組表を作成して表示する番組表作成手段１６を有する構成の放送受信機１とした。【選択図】図４
2015023327.tif 000002
【特許請求の範囲】
【請求項１】
番組情報を受信して番組表データを出力可能な放送受信機であって、
番組が視聴可能か否かを判定する番組判定手段と、
受信した番組情報から当該番組のジャンルを判別するジャンル判別手段と、
ユーザーが視聴を希望するジャンルに相当するか否かを特定するジャンル特定手段と、
ユーザーが視聴を希望するジャンルに相当する番組を含む割合をチャンネル毎に検知するジャンル割合判定手段と、を有し、
前記番組判定手段により得られた判定情報と前記ジャンル割合判定手段により検知されたジャンル割合に応じて表示するチャンネル順番を決定し、決定された順に応じて整列された番組表データを作成して出力する番組表作成手段を有することを特徴とする放送受信機。
【請求項２】
前記番組表作成手段は、前記ジャンル割合の多少により定められる第１優先度に応じてチャンネル表示する第１優先表示機能と、第１優先度を満足しないチャンネルであっても優先的に表示する第２優先度を設定可能な第２優先表示機能を有し、第１優先度を満たすチャンネルに加えて第２優先度に該当するチャンネルを表示することを特徴とする請求項１に記載の放送受信機。
【請求項３】
前記番組判定手段は、受信する信号レベルが所定の基準値以上であるか否かを検知して視聴可能か否かを判定し、さらに、視聴することが許可されている番組を検知して視聴可能と判定することを特徴とする請求項１または２に記載の放送受信機。
【請求項４】
前記番組表作成手段は、ジャンル特定手段により特定されたジャンルの番組の数が多い順に優先表示させる表示機能を有することを特徴とする請求項１から３のいずれかに記載の放送受信機。
【請求項５】
前記番組表作成手段は、ジャンル特定手段により特定されたジャンルの番組の時間割合が多い順に優先表示させる表示機能を有することを特徴とする請求項１から３のいずれかに記載の放送受信機。
【請求項６】
前記番組表作成手段は、番組表に表示する基準を予め定めて登録する表示基準登録機能と、前記基準を満たさないチャンネルの番組表は表示しないと決定する非表示決定機能を有することを特徴とする請求項１から５のいずれかに記載の放送受信機。
【発明の詳細な説明】
【技術分野】
【０００１】
本発明は、ＴＶ放送を受信して出力可能な放送受信機に関する。
【背景技術】
【０００２】
近年、ＴＶ装置のデジタル化に伴い、ＴＶ放送番組に関する種々の情報を付加情報として通信してユーザーの求めに応じて表示可能とした放送受信機が知られている。例えば、番組名や番組内容や放送時間を含む番組情報を受信して、これらの情報を含む放送番組表を一括に出力または表示できる放送受信機が知られている。
【０００３】
デジタルＴＶ装置などの放送受信機は、その多チャンネル化に伴い多数のチャンネルの放送番組が視聴可能になっている。従って、放送受信機に番組表を表示させる場合には、一度に全てのチャンネルを表示することができず、複数の画面に分割して表示する構成となる。
【０００４】
そのために、ユーザーが所望する番組をチェックする際には、複数の画面を切り替えて探索する必要が生じてしまい、簡単ではなくなってきている。そこで、ユーザーが確認しやすい番組表を作成するための工夫が種々検討されており、例えば、ユーザーが求める特定のチャンネルや特定の時間帯の番組表を表示するようにしたデジタル放送受信装置が既に提案されている（例えば、特許文献１参照）。
【先行技術文献】
【特許文献】
【０００５】
【特許文献１】特開２００４−１７９７１６号公報
【発明の概要】
【発明が解決しようとする課題】
【０００６】
ユーザーが各種のデジタル放送を受信して出力可能な放送受信機を所有する場合、視聴したい番組は、当該放送受信機が有する表示画面に、もしくは、他の表示装置の表示画面に番組表を一括表示することにより確認できる。また、多数のチャンネルを一括に表示できない場合には、画面をスクロール表示したり、画面を切り替えたりすることで、全ての番組表を確認することができる。
【０００７】
しかし、ユーザーが視聴したい番組が特定のジャンルである場合には、全てのチャンネルを表示する必要はなく、特定のジャンルの番組を有するチャンネルのみを表示することがユーザーにとっては好ましい場合がある。
【０００８】
また、ユーザーが所有する放送受信機が全てのチャンネルを視聴可能でなく、視聴契約していないなどの理由により視聴不可能なチャンネルがある場合には、当該チャンネルの番組表を出力したり表示したりする必要はない。そこで、ユーザーが視聴したいジャンルの番組を有するチャンネルであり、且つ、ユーザーが視聴可能なチャンネルに応じた番組表を表示できることが望まれる。
【０００９】
特許文献１に記載されている従来の放送受信機は、番組表に表示しない特定のチャンネルと特定の時間帯をユーザー自身が設定するので、ユーザーが視聴したいジャンルの番組を有するチャンネルであっても、番組表に表示されない場合が生じて問題となる。
【００１０】
従って、ユーザー自身が設定する条件は、ユーザーが視聴したいジャンルだけでよく、特定のチャンネルの番組を全て非表示にすることは望ましいとは言えない。
【００１１】
また、ユーザーが視聴したいジャンルの番組を含むチャンネルを全て一括に表示できればよいが、一括に表示できない場合には、ユーザーが求める優先順番に従い表示できることが望ましい。
【００１２】
従って、多チャンネルの放送番組を視聴可能な放送受信機に番組表を表示させる際には、ユーザーが視聴したいジャンルの番組を多く含むチャンネルの番組表を優先的に表示することが望ましく、ユーザーが視聴したいジャンルの番組を含まないチャンネルや、少ししか含まないチャンネルの番組表は表示しなくてもよい場合もある。
【００１３】
本発明は、上記問題点に鑑み、番組情報を受信して番組表データを出力可能な放送受信機において、ユーザーが視聴を希望するジャンルの番組を有するチャンネルを優先的に表示する番組表を作成でき、利便性の向上した放送受信機を提供することを目的とする。
【課題を解決するための手段】
【００１４】
上記目的を達成するために本発明は、番組情報を受信して番組表データを出力可能な放送受信機であって、番組が視聴可能か否かを判定する番組判定手段と、受信した番組情報から当該番組のジャンルを判別するジャンル判別手段と、ユーザーが視聴を希望するジャンルに相当するか否かを特定するジャンル特定手段と、当該ジャンルに相当する番組の割合をチャンネル毎に検知するジャンル割合判定手段と、を有し、前記番組判定手段により得られた判定情報と前記ジャンル割合判定手段により検知されたジャンル割合に応じて表示するチャンネル順番を決定し、決定された順に応じて整列された番組表データを作成して出力する番組表作成手段を有することを特徴としている。
【００１５】
この構成によると、番組判定手段を介して当該放送受信機により視聴可能か否かを判定し、ジャンル判別手段とジャンル特定手段を介してユーザーが視聴を希望するジャンルか否かを判定し、ジャンル割合判定手段を介してユーザーが視聴を希望するジャンルの番組をどの程度含むチャンネルであるかを判定し、番組表作成手段を介して、表示する順序を決定し、新たな番組表データを作成して出力することが可能になる。すなわち、ユーザーが視聴を希望するジャンルの番組を有するチャンネルを優先的に表示する番組表を作成できて利便性の向上した放送受信機を得ることができる。
【００１６】
また本発明は上記構成の放送受信機において、前記番組表作成手段は、前記ジャンル割合の多少により定められる第１優先度に応じてチャンネル表示する第１優先表示機能と、第１優先度を満足しないチャンネルであっても優先的に表示する第２優先度を設定可能な第２優先表示機能を有し、第１優先度を満たすチャンネルに加えて第２優先度に該当するチャンネルを表示することを特徴としている。この構成によると、ユーザーがチャンネル表示を特に希望するチャンネルやおすすめ番組を含むおすすめチャンネルを優先的に表示する第２優先度を設けることができ、ユーザーに対する利便性が向上する。
【００１７】
また本発明は上記構成の放送受信機において、前記番組判定手段は、受信する信号レベルが所定の基準値以上であるか否かを検知して視聴可能か否かを判定し、さらに、視聴することが許可されている番組を検知して視聴可能と判定することを特徴としている。この構成によると、受信する信号レベルだけでなく、通常は契約していない有料放送であっても、特定の時間帯、無料で視聴可能になる番組を検知して視聴可能番組として表示できるので、ユーザーにとってさらに利便性が向上する。
【００１８】
また本発明は上記構成の放送受信機において、前記番組表作成手段は、ジャンル特定手段により特定されたジャンルの番組の数が多い順に優先表示させる表示機能を有することを特徴としている。この構成によると、ユーザーが視聴希望するジャンルの番組数が多いチャンネルを多い順に表示できるので、ユーザーにとって検索容易となって利便性が向上する。
【００１９】
また本発明は上記構成の放送受信機において、前記番組表作成手段は、ジャンル特定手段により特定されたジャンルの番組の時間割合が多い順に優先表示させる表示機能を有することを特徴としている。この構成によると、ユーザーが視聴希望するジャンルの放送時間が長いチャンネルを優先的に表示するので、ユーザーにとって利便性が向上する。
【００２０】
また本発明は上記構成の放送受信機において、前記番組表作成手段は、番組表に表示する基準を予め定めて登録する表示基準登録機能と、前記基準を満たさないチャンネルの番組表は表示しないと決定する非表示決定機能を有することを特徴としている。この構成によると、基準を満たすチャンネルのみを優先表示するので、ユーザーにとって検索容易となって利便性が向上する。
【発明の効果】
【００２１】
本発明によれば、番組情報を受信して番組表データを出力可能な放送受信機において、ユーザーが視聴を希望するジャンルの番組を有するチャンネルを優先的に番組表に表示でき、利便性の向上した放送受信機を得ることができる。
【図面の簡単な説明】
【００２２】
【図１】本発明に係る放送受信機の概要を示す概略説明図である。
【図２】本発明に係る放送受信機が受信する各チャンネルの指定ジャンルの割合と優先表示の一例を示す図である。
【図３】図２に示す優先順位により表示した例を示す概略説明図である。
【図４】本発明に係る放送受信機が備える各機能手段を示すブロック図である。
【図５】チャンネル表示判定の一例を示すフローチャートである。
【図６】優先表示する際のチャンネル表示判定の一例を示すフローチャートである。
【発明を実施するための形態】
【００２３】
以下に本発明の実施形態を図面を参照して説明するが、本発明はこれにより何ら制限されるものではない。また、同一構成部材については同一の符号を用い、重複する説明は適宜省略する。まず本実施形態に係る放送受信機の概要について図１を用いて説明する。
【００２４】
本実施形態に係る放送受信機１は番組情報を受信して番組表データを出力可能なデジタル放送受信機であって、セットトップボックスやデジタルＴＶ装置などが相当する。そこで、本実施形態に係る放送受信機１としてデジタルＴＶ装置を用いて説明する。放送受信機１は図１に示すように、ユーザーのリモコン操作により、映像表示部２に番組表ＰＧを表示する。番組表ＰＧは電子番組表ＥＰＧ（Electric Program Guide）であって、各放送局から提供される番組情報を元にして作成される。番組情報は、各局が送信する電子データから成り、番組のタイトルや番組の内容や番組のジャンルを含む。
【００２５】
また、最近では地上デジタル放送や衛星デジタル放送に加えてケーブルテレビや各種の有料放送システムからのＴＶ放送を受信して視聴できるので、ユーザーが視聴可能なチャンネル数が非常に多くなっている。そのために、番組表ＰＧに表示するチャンネル数も多くなっており、同時に全てのチャンネルを表示することはできずに、複数のページに分割表示することになる。
【００２６】
そのために、本実施形態の放送受信機１は、ユーザーが視聴を希望するジャンルに応じて特定のチャンネルを優先的に表示可能な構成にしている。また、例えば、図４のブロック図に示すように、番組が視聴可能か否かを判定する番組判定手段１２と、受信した番組情報から当該番組のジャンルを判別するジャンル判別手段１３と、ユーザーが視聴を希望するジャンルに相当するか否かを特定するジャンル特定手段１４と、当該ジャンルに相当する番組の割合をチャンネル毎に検知するジャンル割合判定手段１５と、を有し、番組判定手段１２により得られた判定情報とジャンル割合判定手段１５により検知されたジャンル割合に応じて表示するチャンネル順番を決定し、決定された順に応じて整列された番組表データを作成して出力する番組表作成手段１６を有する。そのために、放送受信機１が表示機能を有するデジタルＴＶ装置であれば、映像表示部２に決定された順に応じて整列された番組表ＰＧ（ＰＧ１）を表示する。
【００２７】
すなわち、放送受信機１はＴＶ放送を受信するアンテナＡＮとＴＶ受信部１１を備えて、ＴＶ放送を受信して映像表示することに加えて、リモコンと通信可能な通信部や記憶部などを備え、各部を制御する制御部３を介して、番組情報を受信して記憶し、リモコンの操作により、記憶した番組情報から所定の情報を検索して再構築して表示する機能を有する。また、上記した番組判定手段１２、ジャンル判別手段１３、ジャンル特定手段１４、ジャンル割合判定手段１５、番組表作成手段１６は、制御部３が有する機能手段である。従って、ユーザーはリモコン操作により、これらの機能手段を操作制御して、映像表示部２に所望の番組データを表示させることが可能になる。
【００２８】
この構成であれば、番組判定手段１２を介して当該放送受信機１により視聴可能か否かを判定し、ジャンル判別手段１３とジャンル特定手段１４を介してユーザーが視聴を希望するジャンルか否かを判定し、ジャンル割合判定手段１５を介してユーザーが視聴を希望するジャンルの番組をどの程度含むチャンネルであるかを判定し、番組表作成手段１６を介して表示する順序を決定して新たな番組表ＰＣ１を作成して表示することが可能になる。すなわち、ユーザーが視聴を希望するジャンルの番組を有するチャンネルを優先的に番組表ＰＧ（ＰＧ１）に表示できて利便性の向上した放送受信機１を得ることができる。
【００２９】
また、番組判定手段１２は、通常は有料放送であってユーザーが視聴契約していないチャンネルであっても、無料放送期間であればこのチャンネルを視聴可能チャンネルと認識して表示できることが好ましい。すなわち、本実施形態の番組判定手段１２は、視聴することが許可されている番組を含む操作当日の各局の放送番組を受信する信号レベルから、ユーザーが視聴可能か否かを判定する。
【００３０】
番組表作成手段１２は、ユーザーが視聴を希望する（指定する）ジャンル割合の多少により定められる第１優先度に応じてチャンネル表示する第１優先表示機能と、第１優先度を満足しないチャンネルであっても優先的に表示する第２優先度を設定可能な第２優先表示機能を有し、第１優先度を満たすチャンネルに加えて第２優先度に該当するチャンネルを表示することが好ましい。この構成であれば、ユーザーが日常的に視聴するチャンネルやおすすめ番組を含むおすすめチャンネルを優先的に表示する第２優先度を別に定めておくことにより、ユーザーが視聴を希望するジャンルに応じた番組が少ないチャンネルであっても、優先的に表示できるので、ユーザーに対する利便性が向上する。
【００３１】
そこで、第１優先表示機能により、ユーザーが視聴を希望するジャンルの番組を含む割合の多いチャンネルを優先表示する構成とした実施形態と、この第１優先表示機能に加えて第２優先表示機能を有して、ユーザーが視聴を希望するジャンルの番組を含む割合の多少に拘らずに、別に定める第２優先度に応じてチャンネルを表示する構成とした実施形態についてそれぞれ説明する。
【００３２】
〈第１実施形態〉
まず、図２、図３、図５を用いてユーザーが視聴を希望するジャンルの番組を含む割合の多いチャンネルを優先表示する構成とした実施形態を第１実施形態として説明する。図２は、各チャンネルの指定ジャンルの割合と優先表示の一例を示す図であり、図３は、図２の優先順位により表示した例を示す概略説明図である。また、図５は、チャンネル表示判定の一例を示すフローチャートである。
【００３３】
図２には、チャンネルＡ〜Ｅ（ＣＨＡ〜ＣＨＥ）の５局と、これらのチャンネルが有する指定ジャンルの割合を示しており、この割合に応じて、優先表示させる順番を決定する。さらに、優先度の低いチャンネルは表示しない構成について説明する際に用いる、表示可否の結果も同時に示している。
【００３４】
例えば、ユーザーがリモコン操作により視聴を希望するジャンルとしてスポーツを指定すると、制御部３はジャンル判別手段１３を介して、スポーツにジャンル分けされた番組を選択抽出してその割合を判定する。その割合は、例えば、操作当日の午後１２時までに対する時間割合であり、また、その番組数の割合であってもよい。また、予め定める日の２４時間分の時間割合や番組数割合でも、予め定める１週間の時間割合や番組数割合であってもよい。
【００３５】
図２に示す割合は操作当日の午後１２時までの番組に対する時間割合であって、チャンネルＥ（ＣＨＥ）が８０％、チャンネルＤ（ＣＨＤ）が７０％、チャンネルＡ（ＣＨＡ）が６０％、チャンネルＣ（ＣＨＣ）が４０％、チャンネルＢ（ＣＨＢ）が２０％である状態を示す。この図２に示す割合は時間割合であるが、番組数の割合により分類してもよい。
【００３６】
上記の割合であれば、割合が最も多いチャンネルＥ（ＣＨＥ）が１位の表示優先度となり、以降、割合の多い順に２位、３位・・・と決定すればよい。ただし、視聴できないチャンネルを表示することは無意味であるので、視聴可能な信号レベルを満たさない（図２では無信号と表記している）チャンネルＤ（ＣＨＤ）の割合が７０％であっても、表示優先度は最下位におくとよい。
【００３７】
そのために、ユーザーが視聴希望するジャンルを含む割合が７０％のチャンネルＤ（ＣＨＤ）の表示優先度は５局の中で最後の５位となる。また、視聴できないチャンネルか否かは、契約していないチャンネルだけでなく、受信する信号レベルが低いチャンネルなども含む。
【００３８】
そこで、割合が最も多いチャンネルＥ（ＣＨＥ）を１位の表示優先順位とし、割合が６０％のチャンネルＡ（ＣＨＡ）を２位とし、割合が４０％のチャンネルＣ（ＣＨＣ）を３位として番組表ＰＧ１を作成した例について図３を用いて説明する。
【００３９】
図３には、チャンネルＥ（ＣＨＥ）、チャンネルＡ（ＣＨＡ）、チャンネルＣ（ＣＨＣ）の午後７時から午後１１時台に放送される番組、すなわち、午後１２時までの５時間分の番組表ＰＧ１を示している。
【００４０】
また、ユーザーが指定するジャンルに分類される番組を色分け表示したり反転表示したりして視認容易にすることが好ましい。例えば、チャンネルＥ（ＣＨＥ）は、番組Ｅ１とＥ２とＥ３が相当し、時間割合で言えば４／５の８０％を占めることが判る。チャンネルＡ（ＣＨＡ）は、番組Ａ１とＡ２とＡ３が相当し、時間割合で言えば３／５の６０％を占める。また、チャンネルＣ（ＣＨＣ）は、番組Ｃ１とＣ２が相当し、時間割合で言えば２／５の４０％を占めることが判る。
【００４１】
次に、この操作手順について図５に示すフローチャートを用いて説明する。
【００４２】
ユーザーがリモコン操作によりチャンネル表示判定を開始すると、放送受信機１は制御部３に設ける番組判定手段１２を介して、ステップＳ１の受信する信号レベルが視聴可能な閾値以上であるか否かを判定し、閾値以上であり視聴可能なレベルにあると判定したときに、図中のＹ方向に進み、ステップＳ２の視聴可能割合判定を行う。
【００４３】
ステップＳ２で、番組情報による視聴可能割合判定を行い、予め定める基準値を満たすか否かを検出して、基準値を満たすことが確認されると図中のＹ方向に進みステップＳ３の表示チャンネル操作ステップに至り、番組表を作成して表示する工程を実行する。
【００４４】
ステップＳ２の視聴可能割合判定は、予めユーザーが視聴を希望するジャンルを指定しておき、当該ジャンルの番組を含む割合を算出して視聴可能割合を判定する。すなわち、ステップＳ２では、受信した番組情報から当該番組のジャンルを判別するジャンル判別手段１３と、ユーザーが指定するジャンルに相当するか否かを特定するジャンル特定手段１４と、ユーザーが指定するジャンルに相当する番組の割合を検知するジャンル割合判定手段１５とを用いて、視聴可能割合判定を行う。
【００４５】
また、ステップＳ２で予め定める基準値を満たしていないと判定された場合は、Ｎ方向に進み、ステップＳ５の非表示チャンネルステップに移行し、チャンネル表示判定操作が終了する。
【００４６】
ステップＳ３の表示チャンネルステップでは、検出された視聴可能割合に応じて、番組表に表示するチャンネルを決定する。また、全てのチャンネルの表示・非表示判定を行った後、番組表作成手段１６を介して番組表に表示するチャンネル順番を決定する。すなわち、本実施形態における番組表作成手段１６は、ユーザーが視聴を希望する（指定する）ジャンル割合により定められる第１優先度に応じてチャンネルを表示する第１優先表示機能を有して番組表ＰＧ（ＰＧ１）を作成する。
【００４７】
本実施形態であれば、番組判定手段１２を介して当該放送受信機１により視聴可能か否かを判定し、ジャンル判別手段１３とジャンル特定手段１４を介してユーザーが視聴を希望するジャンルか否かを判定し、ジャンル割合判定手段１５を介してユーザーが視聴を希望するジャンルの番組をどの程度含むチャンネルであるかを判定し、第１優先表示機能を有する番組表作成手段１６を介して、表示するチャンネル順序を決定し、新たな番組表ＰＧ（ＰＧ１）を作成して表示することが可能になる。
【００４８】
すなわち、ユーザーが視聴を希望するジャンルの番組を有するチャンネルを優先的に番組表ＰＧ（ＰＧ１）に表示できて利便性の向上した放送受信機１を得ることができる。
【００４９】
〈第２実施形態〉
次に、図６に示すフローチャートを用いて、第１優先表示機能に加えて第２優先表示機能を有して、ユーザーが視聴を希望するジャンルの番組を含む割合の多少に拘らずに優先的に表示するチャンネルを設定可能とした実施形態を第２実施形態として説明する。
【００５０】
図６に示すフローチャートは、図５に示す第１実施形態のフローチャートと比較して、ステップＳ４の優先表示チャンネルか否かを判定するステップを有することが異なる。その他の構成は同じであるので、詳細な説明は省略する。
【００５１】
第１実施形態では、ステップＳ２で予め定める基準値を満たしていないと判定された場合は、ステップＳ５の非表示チャンネルステップに移行するが、本第２実施形態では、ステップＳ２で予め定める基準値を満たしていないと判定された場合は、図中のＮ方向に進みステップＳ４に移行して優先表示チャンネルか否かの判定を行う。
【００５２】
この優先表示チャンネルか否かの判定は、ユーザー自身が予め、常時視聴するチャンネルを優先表示させるように設定しておいてもよく、また、ネットを通じて番組情報サービスを受信して、「おすすめ番組」「注目番組」のような指定された番組に優先度を付加するようにしておいてもよい。さらに、このような番組が所望のジャンルであれば、その優先度に重みをさらに付加するようにしてもよい。
【００５３】
ステップＳ４で優先表示チャンネルであると判定された場合には、Ｙ方向に進みステップＳ３の表示チャンネル操作ステップに移行する。ステップＳ４で優先表示チャンネルでないと判定された場合にはＮ方向に進み、ステップＳ５の非表示チャンネルステップに移行し、チャンネル表示判定操作が終了する。
【００５４】
ステップＳ３の表示チャンネルステップでは、ユーザーが視聴を希望する（指定する）ジャンル割合の多少により定められる第１優先度に応じてチャンネル表示する第１優先表示機能と、第１優先度を満足しないチャンネルであっても優先的に表示する第２優先度を設定可能な第２優先表示機能を有し、第１優先度を満たすチャンネルに加えて第２優先度に該当するチャンネルを表示する番組表作成手段を用いて番組表ＰＧ（ＰＧ１）を作成する。従って、ステップＳ３においては、検出された視聴可能割合に応じて、番組表に表示する順番を決定することに加えて、優先表示チャンネルを組み込む操作も行うことになる。
【００５５】
上記したように、本実施形態のステップＳ３で用いる番組表作成手段１６は、ユーザーが指定するジャンルに応じて特定のチャンネルを優先的に表示する第１優先表示機能と、第１優先度を満足しないチャンネルであっても優先的に表示する第２優先度を設定可能な第２優先表示機能を有し、第１優先度を満たすチャンネルに加えて第２優先度に該当するチャンネルを表示する機能を有する。また、第２優先表示機能を介して優先的に表示するチャンネルは、番組表の最初に組み込む優先順番でもよく、番組表の最後に組み込む優先順番でもよく、ユーザーが予め定めておくことができる。
【００５６】
上記の構成であれば、ユーザーが視聴を希望するジャンルに応じた番組が少ない場合でも、ユーザーが特に視聴するチャンネルやおすすめのチャンネルを表示できるので、ユーザーに対する利便性がさらに向上する。
【００５７】
〈第３実施形態〉
次に、再び図２を用いて番組表に表示する基準を予め定めて登録する表示基準登録機能と、基準を満たさないチャンネルの番組表は表示しないと決定する非表示決定機能を有する構成を第３実施形態として説明する。
【００５８】
第３実施形態は、予め定める基準を満たさないチャンネルの番組表は表示しない実施形態である。そのため、本実施形態に係る番組表作成手段１６は、番組表に表示する基準を予め定めて登録する表示基準登録機能と、前記基準を満たさないチャンネルの番組表は表示しないと決定する非表示決定機能を有する。
【００５９】
例えば、受信する信号レベルが放送受信機１が安定して画像表示できる閾値内か否かの判定基準と、ユーザーが指定するジャンルを含む割合が所定の基準以内か否かの判定基準によりチャンネルの表示・非表示を判定する。
【００６０】
そこで、例えば、ユーザーが指定するジャンルの時間割合が４０％未満であれば非表示とする基準を設定すると、図２に示すように、ユーザーが指定するジャンルの時間割合が、チャンネルＡ（ＣＨＡ）が６０％、チャンネルＢ（ＣＨＢ）が２０％、チャンネルＣ（ＣＨＣ）が４０％、チャンネルＤ（ＣＨＤ）が７０％、チャンネルＥ（ＣＨＥ）が８０％である場合は、時間割合が２０％のチャンネルＢ（ＣＨＢ）が非表示チャンネルと判定される。
【００６１】
また、視聴契約しておらず無料放送日でもない視聴不可能なチャンネルや、受信信号レベルが悪いチャンネルは非表示する基準を設けているので、無信号（視聴可能な信号レベルでない）のチャンネルＤ（ＣＨＤ）も非表示と判定される。
【００６２】
従って、この第３実施形態では、チャンネルＡ（ＣＨＡ）とチャンネルＣ（ＣＨＣ）とチャンネルＥ（ＣＨＥ）の３局のみの番組表ＰＧ１を表示することになる。この際に、チャンネルの表示順は、元々の順であってもよいが、図３に示すように、割合が最も多いチャンネルＥ（ＣＨＥ）を１位の表示優先度とし、以下、時間割合の多い順に配列すると、ユーザーにとって確認容易となるので好適である。
【００６３】
この第３実施形態の構成であれば、所定の信号レベルであり視聴可能であって、希望するジャンルの番組を所定割合以上有するチャンネルのみを優先表示することができるので、ユーザーにとって検索容易となって利便性が向上する。
【００６４】
上記したように本発明に係る放送受信機１は、番組情報を受信して番組表データを出力可能な放送受信機であって、番組が視聴可能か否かを判定する番組判定手段１２と、受信した番組情報から当該番組のジャンルを判別するジャンル判別手段１３と、ユーザーが指定するジャンルに相当するか否かを特定するジャンル特定手段１４と、ユーザーが指定するジャンルに相当する番組の割合をチャンネル毎に検知するジャンル割合判定手段１５と、を有し、番組判定手段１２により得られた判定情報とジャンル割合判定手段１５により検知されたジャンル割合に応じて表示するチャンネル順番を決定し、決定された順に応じて整列された番組表データを作成して出力する番組表作成手段１６を有する。
【００６５】
この構成であれば、番組判定手段１２を介して当該放送受信機１により視聴可能か否かを判定し、ジャンル判別手段１３とジャンル特定手段１４を介してユーザーが求めるジャンルか否かを判定し、ジャンル割合判定手段１５を介してユーザーが求めるジャンルの番組をどの程度含むチャンネルであるかを判定し、番組表作成手段１６を介して、表示する順序を決定し、新たな番組表ＰＧ（ＰＧ１）を作成して表示させることが可能になる。すなわち、ユーザーが視聴を希望するジャンルの番組を有するチャンネルを優先的に番組表に表示できて利便性の向上した放送受信機１を得ることができる。
【００６６】
番組表作成手段１２は、ユーザーが視聴を希望するジャンル割合の多少により定められる第１優先度に応じてチャンネル表示する第１優先表示機能と、第１優先度を満足しないチャンネルであっても優先的に表示する第２優先度を設定可能な第２優先表示機能を有し、第１優先度を満たすチャンネルに加えて第２優先度に該当するチャンネルを表示することが好ましい。
【００６７】
番組判定手段１２は、受信する信号レベルが所定の基準値以上であるか否かを検知して視聴可能か否かを判定し、さらに、視聴することが許可されている番組を検知して視聴可能と判定することが好ましい。
【００６８】
また、番組表作成手段１２は、ジャンル特定手段１４により特定されたジャンルの番組の数が多い順に優先表示させる表示機能を有していてもよく、ジャンル特定手段１４により特定されたジャンルの番組の時間割合が多い順に優先表示させる表示機能を有していてもよい。
【００６９】
さらに、番組表作成手段１６は、番組表に表示する基準を予め定めて登録する表示基準登録機能と、前記基準を満たさないチャンネルの番組表は表示しないと決定する非表示決定機能を有するとよい。すなわち、優先表示する順に全てのチャンネルを順次表示する番組表ＰＧでもよいが、優先表示する基準を下回るチャンネルは表示せず基準を上回るチャンネルのみを優先表示の順に表示する番組表ＰＧ１であればさらに好ましい。
【００７０】
上記で説明した放送受信機１は、各種のデジタル放送を受信でき、ユーザーの操作により各種の操作が可能な高機能な放送受信機が好ましいので、デジタル化と高機能化が進んでいるＴＶ装置であってもよい。この構成によると、家庭用のＴＶ装置に、ユーザーが視聴を希望する所定のジャンルを指定すると、指定されたジャンルの番組を多く含むチャンネルの番組表を優先して表示できるので、視聴したい番組を探す手間が省けて利便性が向上する。
【００７１】
なお、今回開示された実施形態は、全ての点で例示であって制限的なものではないと考えられるべきである。本発明の範囲は、上記した実施形態の説明ではなく特許請求の範囲によって示され、さらに特許請求の範囲と均等の意味および範囲内での全ての変更が含まれる。
【００７２】
例えば、放送受信機１が番組情報とＴＶ放送番組を含むＴＶ放送を受信するＴＶ装置であるとして説明したが、本発明はこれに限らず、デジタルＴＶ放送を受信可能なセットトップボックスやパソコンなどでもよい。また、大型の表示画面を有し番組表ＰＧを表示する表示装置であれば、スマートフォンやタブレット端末や、その他の高機能情報機器であってもよい。
【００７３】
また、視聴当日のＴＶ番組を視聴する際に、その日の午後１２時までの番組表を表示するとして説明したが、本発明はこれに限らず、ユーザーが予め定める時間帯に応じた番組表ＰＧを表示する構成としてもよい。
【００７４】
上記したように、本発明によれば、番組情報を受信して番組表データを出力可能な放送受信機において、ユーザーが視聴を希望するジャンルの番組を有するチャンネルを優先的に番組表に表示でき、利便性の向上した放送受信機を得ることができる。
【産業上の利用可能性】
【００７５】
そのために、本発明に係る放送受信機は、多チャンネルのＴＶ放送が受信可能で、受信した番組情報から番組表を表示する際に、ユーザーが視聴を所望するジャンルを含むチャンエルを優先的に表示することが求められる放送受信機に好適に利用可能となる。
【符号の説明】
【００７６】
１    放送受信機
２    映像表示部
３    制御部
１２    番組表作成手段
１３    ジャンル判別手段
１４    ジャンル特定手段
１５    ジャンル割合判定手段
１６    番組表作成手段
ＰＧ    番組表
ＰＧ１  番組表（優先表示させるチャンネルのみの）
【図１】
2015023327.tif 000003
【図２】
2015023327.tif 000004
【図３】
2015023327.tif 000005
【図４】
2015023327.tif 000006
【図５】
2015023327.tif 000007
【図６】
2015023327.tif 000008